(57)【要約】      （修正有）【課題】設定操作を容易にした撮影装置を提供する。【解決手段】デジタルスチルカメラは、動作条件を設定する動作条件設定部５１と、使用者による撮影指示が受け付けられることに応じて設定された動作条件に従って撮影し、画像データを記憶する撮影制御部５７と、を備え、動作条件設定部５１は、撮影制御部５７により所定の撮影条件で撮影される場合、撮影指示が受け付けられた時点に設定されている動作条件を変更する変更部６７を含む。【選択図】図２
2012216948.tif 000002
【特許請求の範囲】
【請求項１】
動作条件を設定する動作条件設定手段と、
使用者による撮影指示が受け付けられることに応じて前記設定された動作条件に従って撮影し、画像データを記憶する撮影制御手段と、を備え、
前記動作条件設定手段は、前記撮影制御手段により所定の撮影条件で撮影される場合、撮影指示が受け付けられた時点に設定されている動作条件を変更する変更手段を含む、撮影装置。
【請求項２】
フォーカスレンズを含むレンズ群と、
被写体に対して合焦するフォーカスレンズの位置を決定するオートフォーカス手段と、をさらに備え、
前記変更手段は、前記フォーカスレンズが移動可能な範囲のいずれにおいても被写体に対して合焦しない場合、前記所定の撮影条件と判断する、請求項１に記載の撮影装置。
【請求項３】
フォーカスレンズを含むレンズ群と、
前記レンズ群が合焦状態となるフォーカスレンズの位置を決定するオートフォーカス手段と、
前記レンズ群を透過した光を光電変換した画像データを出力するイメージセンサを、さらに備え、
前記オートフォーカス手段は、前記イメージセンサから出力される画像データの少なくとも一部から第１の評価値を算出する第１評価値算出手段を含み、前記フォーカスレンズが移動可能な範囲内にある複数の位置において前記第１評価値算出手段によりそれぞれ算出される複数の第１の評価値に基づいて、前記フォーカスレンズの位置を決定し、
前記変更手段は、前記複数の第１の評価値に基づいて、被写体に対して合焦するフォーカスレンズの位置を前記オートフォーカス手段が決定することが可能か否かを判断する、請求項１に記載の撮影装置。
【請求項４】
前記変更手段は、前記複数の第１の評価値のうちに極値が存在しない場合に、被写体に対して合焦するフォーカスレンズの位置を前記オートフォーカス手段が決定することが不可能と判断する、請求項３に記載の撮影装置。
【請求項５】
前記変更手段は、前記複数の第１の評価値の最大値が所定の値以下の場合に、被写体に対して合焦するフォーカスレンズの位置を前記オートフォーカス手段が決定することが不可能と判断する、請求項３または４に記載の撮影装置。
【請求項６】
レンズと、
前記レンズを透過した光を光電変換した画像データを出力するイメージセンサと、
前記設定された撮影モードに従って露出を決定する露出決定手段と、をさらに備え、
前記露出決定手段は、前記イメージセンサから出力される画像データの少なくとも一部から第２の評価値を算出する第２評価値算出手段を含み、前記評価値算出手段により算出される第２の評価値に基づいて、露出を決定し、
前記変更手段は、前記第２の評価値に基づいて、前記所定の撮影条件か否かを判断する、請求項１に記載の撮影装置。
【請求項７】
前記露出決定手段は、前記露出を決定するための複数の撮影モードのうちから前記動作条件により定められた撮影モードで露出を決定し、
前記変更手段は、前記動作条件により定められた撮影モードを、予め定められた撮影モードに変更する、請求項６に記載の撮影装置。
【請求項８】
レンズと、
前記レンズを透過した光を光電変換した画像データを出力するイメージセンサと、をさらに備え、
前記変更手段は、前記撮影指示が受け付けられた時点で前記イメージセンサが出力する画像データが所定の特徴を有する場合に、前記所定の撮影条件と判断する、請求項１に記載の撮影装置。
【請求項９】
前記撮影制御手段は、前記画像データを、撮影指示が受け付けられた時点で前記撮影制御手段により所定の撮影条件で撮影される場合、前記画像データに代えて、前記動作条件が変更されたことを示す画像データを記憶する、請求項１〜８のいずれかに記載の撮影装置。
【請求項１０】
記憶領域を複数に分割可能な記憶手段をさらに備え、
前記撮影制御手段は、前記画像データを、前記記憶手段に含まれる複数の記憶領域のうち前記動作条件で定められた記憶領域に記憶し、
前記変更手段は、前記記憶手段に新たな記憶領域を設定し、前記動作条件により定められた記憶領域を、前記新たな記憶領域に変更する、請求項１〜８のいずれかに記載の撮影装置。
【請求項１１】
前記撮影制御手段は、撮影指示が受け付けられた時点で前記撮影制御手段により所定の撮影条件で撮影される場合、前記イメージセンサが出力する画像データを記憶しない、請求項１〜８のいずれかに記載の撮像装置。
【発明の詳細な説明】
【技術分野】
【０００１】
この発明は、撮影装置に関し、特に動作条件を変更して撮影可能な撮影装置に関する。
【背景技術】
【０００２】
デジタルスチルカメラで代表される撮影装置は、撮影した画像に日時を関連付けて記憶するものがある。ところが、画像を選択する場合に、日時順に並べて表示することはできるが、他の分類方法、例えば、撮影した場所ごとに分類できれば便利である。
【０００３】
特開２００５−３８４１４号公報には、電子カメラのモードをフォルダ作成モードに設定し、レリーズボタンを押下すると、記録メディアの記録領域にフォルダが新規作成されるとともに、その新規作成されたフォルダのアイコン画像を作成する電子カメラが記載されている。しかしながら、従来の電子カメラは、画像をフォルダに分類して記憶するために、電子カメラのモードをフォルダ作成モードに設定する操作が必要となり、操作が煩雑になるといった問題がある。
【特許文献１】特開２００５−３８４１４号公報
【発明の概要】
【発明が解決しようとする課題】
【０００４】
この発明は、上述した問題点を解決するためになされたもので、この発明の目的の１つは、設定操作を容易にした撮影装置を提供することである。
【課題を解決するための手段】
【０００５】
上述した目的を達成するためにこの発明のある局面によれば、撮影装置は、動作条件を設定する動作条件設定手段と、使用者による撮影指示が受け付けられることに応じて設定された動作条件に従って撮影し、画像データを記憶する撮影制御手段と、を備え、動作条件設定手段は、撮影制御手段により所定の撮影条件で撮影される場合、撮影指示が受け付けられた時点に設定されている動作条件を変更する変更手段を含む。
【０００６】
この局面に従えば、所定の撮影条件で撮影される場合、使用者による撮影指示が受け付けられた時点に設定されている動作条件が変更される。その結果、設定操作を容易にした撮影装置を提供することができる。
【０００７】
好ましくは、フォーカスレンズを含むレンズ群と、被写体に対して合焦するフォーカスレンズの位置を決定するオートフォーカス手段と、をさらに備え、変更手段は、フォーカスレンズが移動可能な範囲のいずれにおいても被写体に対して合焦しない場合、所定の撮影条件と判断する。
【０００８】
この局面に従えば、フォーカスレンズが移動可能な範囲のいずれにおいてもレンズ群が合焦状態とならない場合に、所定の撮影条件と判断される。このため、使用者は、レンズ群が合焦状態とならない位置に存在する対象物を被写体として撮影指示を入力すればよい。
【０００９】
好ましくは、フォーカスレンズを含むレンズ群と、レンズ群が合焦状態となるフォーカスレンズの位置を決定するオートフォーカス手段と、レンズ群を透過した光を光電変換した画像データを出力するイメージセンサを、さらに備え、オートフォーカス手段は、イメージセンサから出力される画像データの少なくとも一部から第１の評価値を算出する第１評価値算出手段を含み、フォーカスレンズが移動可能な範囲内にある複数の位置において第１評価値算出手段によりそれぞれ算出される複数の第１の評価値に基づいて、フォーカスレンズの位置を決定し、変更手段は、複数の第１の評価値に基づいて、被写体に対して合焦するフォーカスレンズの位置をオートフォーカス手段が決定することが可能か否かを判断する。
【００１０】
好ましくは、変更手段は、複数の第１の評価値のうちに極値が存在しない場合に、被写体に対して合焦するフォーカスレンズの位置をオートフォーカス手段が決定することが不可能と判断する。
【００１１】
この局面に従えば、複数の第１の評価値のうちに極値が存在しない場合に、レンズ群が合焦状態とならないと判断する。このため、使用者は、レンズ群が合焦状態とならない位置に存在する対象物を被写体として撮影指示を入力すればよい。
【００１２】
好ましくは、変更手段は、複数の第１の評価値の最大値が所定の値以下の場合に、被写体に対して合焦するフォーカスレンズの位置をオートフォーカス手段が決定することが不可能と判断する。
【００１３】
この局面に従えば、使用者は、コントラストの少ない対象物を被写体として撮影指示を入力すればよい。
【００１４】
好ましくは、レンズと、レンズを透過した光を光電変換した画像データを出力するイメージセンサと、設定された撮影モードに従って露出を決定する露出決定手段と、をさらに備え、露出決定手段は、イメージセンサから出力される画像データの少なくとも一部から第２の評価値を算出する第２評価値算出手段を含み、評価値算出手段により算出される第２の評価値に基づいて、露出を決定し、変更手段は、第２の評価値に基づいて、所定の撮影条件か否かを判断する。
【００１５】
好ましくは、露出決定手段は、露出を決定するための複数の撮影モードのうちから動作条件により定められた撮影モードで露出を決定し、変更手段は、動作条件により定められた撮影モードを、予め定められた撮影モードに変更する。
【００１６】
この局面に従えば、露出を決定するための複数の撮影モードのうちから１つを選択する操作を容易にすることができる。
【００１７】
好ましくは、レンズと、レンズを透過した光を光電変換した画像データを出力するイメージセンサと、をさらに備え、変更手段は、撮影指示が受け付けられた時点でイメージセンサが出力する画像データが所定の特徴を有する場合に、所定の撮影条件と判断する。
【００１８】
好ましくは、撮影制御手段は、画像データを、撮影指示が受け付けられた時点で撮影制御手段により所定の撮影条件で撮影される場合、画像データに代えて、動作条件が変更されたことを示す画像データを記憶する。
【００１９】
この局面に従えば、撮影指示が受け付けられた時点で所定の撮影条件で撮影される場合、画像データに代えて、動作条件が変更されたことを示す画像データが記憶される。このため、記憶された複数の画像データを、動作条件が変更されたことを示す画像データで、分類することができる。
【００２０】
好ましくは、記憶領域を複数に分割可能な記憶手段をさらに備え、撮影制御手段は、画像データを、記憶手段に含まれる複数の記憶領域のうち動作条件で定められた記憶領域に記憶し、変更手段は、記憶手段に新たな記憶領域を設定し、動作条件により定められた記憶領域を、新たな記憶領域に変更する。
【００２１】
この局面に従えば、新たな記憶領域が設定され、動作条件により定められた記憶領域が新たに設定された記憶領域に変更されるので、画像データを所定の撮影条件で撮影指示を入力する前後で異なる記憶領域に記憶させることができる。
【００２２】
好ましくは、撮影制御手段は、撮影指示が受け付けられた時点で撮影制御手段により所定の撮影条件で撮影される場合、イメージセンサが出力する画像データを記憶しない。
【００２３】
この局面に従えば、撮影指示が受け付けられた時点で所定の撮影条件で撮影され、イメージセンサが出力する画像データが記憶されないので、不要な画像データが記憶されない。
【図面の簡単な説明】
【００２４】
【図１】本発明の実施の形態に係るデジタルスチルカメラの構成の概略の一例を示すブロック図である。
【図２】第１の実施の形態における制御部が有する機能の一例を示す機能ブロック図である。
【図３】第１の実施の形態における撮影処理の流れの一例を示すフローチャートである。
【図４】動作条件変更処理の流れの一例を示す第１のフローチャートである。
【図５】動作条件変更処理の流れの一例を示す第２のフローチャートである。
【図６】第２の実施の形態における撮影処理の流れの一例を示すフローチャートである。
【図７】第３の実施の形態における制御部が有する機能の一例を示す機能ブロック図である。
【図８】第３の実施の形態における撮影処理の流れの一例を示すフローチャートである。
【発明を実施するための形態】
【００２５】
以下、本発明の実施の形態について図面を参照して説明する。以下の説明では同一の部品には同一の符号を付してある。それらの名称および機能も同じである。したがってそれらについての詳細な説明は繰り返さない。
【００２６】
本実施の形態においては、撮影装置の一例としてデジタルスチルカメラを説明する。なお、撮影装置は、デジタルスチルカメラに限られず、被写体を撮影する機能を有していれば、例えば、ビデオカメラ、携帯電話機、音楽プレーヤ等であってもよい。
【００２７】
図１は、本発明の実施の形態に係るデジタルスチルカメラの構成の概略の一例を示すブロック図である。図１を参照して、デジタルスチルカメラ１は、デジタルスチルカメラ１の全体を制御する制御部１１と、フォーカスレンズ１３Ｆおよびズームレンズ１３Ｚを含む複数のレンズで構成されるレンズ群１３と、シャッタ１４と、レンズ群１３およびシャッタ１４を駆動するレンズ駆動部１５と、手振れ補正ユニット１７と、イメージセンサ１９と、コーデック（ＣＯＤＥＣ）２１と、画像処理する信号処理回路２２と、液晶表示装置（ＬＣＤ）２３と、制御部１１が実行するためのプログラム等を記憶するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）２５と、制御部１１の作業領域として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２７と、メモリカード２９Ａが装着されるカードインターフェース（Ｉ／Ｆ）２９と、ジャイロセンサ３３と、使用者の操作を受け付ける操作部３５と、デジタルスチルカメラ１の全体に電力を供給するバッテリ４１と、を含む。
【００２８】
レンズ群１３は、デジタルスチルカメラ１本体の前面に設けられ、ＬＣＤ２３は、レンズ群１３が設けられる面とは反対のデジタルスチルカメラ１の背面に設けられる。レンズ群１３は、レンズ駆動部１５により制御される。レンズ駆動部１５は、制御部１１により制御され、レンズ群１３のフォーカスレンズ１３Ｆを移動させるとともに、レンズ群１３に設けられた絞り機構（図示省略）の絞りを調整する。レンズ群１３は、ズーム倍率を変更、調整するために設けられたズームレンズ１３Ｚを有する。
【００２９】
イメージセンサ１９は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光電変換素子であり、その結像面がレンズ群１３の光軸に対して垂直となる。イメージセンサ１９は、レンズ群１３を介して結像面に結像する被写体の光学画像を光電変換し、画像データを制御部１１に出力する。制御部１１は、イメージセンサ１９から出力される画像データを受け付け、画像データをＳＤＲＡＭ２７に記憶する。ここでの画像データは、例えば、１画素がＲ（赤）Ｇ（緑）Ｂ（青）で構成されるビットマップ形式のデータである。なお、イメージセンサ１９は、ＣＭＯＳイメージセンサに限定されるものではなく、ＣＣＤ（Ｃｈａｒｇｅ  Ｃｏｕｐｌｅｄ  Ｄｅｖｉｃｅ）イメージセンサを用いてもよい。なお、本実施例では、イメージセンサ１９からの出力は、アナログ／デジタル変換器（図示省略）によってデジタルの画像データに変換されている。
【００３０】
シャッタ１４は、レンズ群１３とイメージセンサ１９との間に設けられ、レンズ駆動部１５により制御される。レンズ駆動部１５は、シャッタ１４の開閉を制御することにより、シャッタ速度を調整する。レンズ駆動部１５は、使用者が操作部３５の備えるシャッタボタン３５Ａを半押し状態にする場合、または、動画像の撮影を開始するボタンを押下する場合、シャッタ１４を開放し、所定の時間間隔で１フレームの画像データを出力する。フレームとは、動画像を構成する単位であり、１フレームは１枚の画像を意味する。また、フレームはフィールドに置き換えることができる。所定の時間間隔とは、例えばフレームレートが３０ＦＰＳであれば、１／３０秒である。
【００３１】
制御部１１は、使用者が操作部３５の備えるシャッタボタン３５Ａを半押し状態にすることに応じて、レンズ駆動部１５にレンズ群１３のフォーカスレンズ１３Ｆを移動させるとともに、イメージセンサ１９から出力される画像データに基づいて、レンズ群１３の焦点を合わせるオートフォーカス処理を実行するとともに、露出を決定する。露出は、シャッタ１４を開放する時間を定めるシャッタ速度と、レンズ群１３に設けられた絞り機構の絞り量とを含む。
【００３２】
なお、本実施の形態においては、イメージセンサ１９から出力される画像データに基づいて、レンズ群１３の焦点を合わせるオートフォーカス処理を実行する例を示すが、赤外線などを用いて、被写体までの距離を測距し、フォーカスレンズ１３Ｆの位置を定めるようにしてもよい。また、本実施の形態においては、イメージセンサ１９から出力される画像データに基づいて、露出を決定するようにしたが、レンズ群１３を透過する光量を測量するために、イメージセンサ１９とは別にセンサを設けるようにし、別のセンサで測量された光量から露出を決定するようにしてもよい。
【００３３】
イメージセンサ１９は、制御部１１により制御され、光電変換する時間が制御される。具体的には、制御部１１は、イメージセンサ１９に光電変換を開始させる場合、レンズ駆動部１５にシャッタ１４を開放させる。これにより、レンズを透過した光がイメージセンサ１９に結像するので、イメージセンサ１９が光電変換を開始する。制御部１１は、シャッタ速度により定まる露光時間が経過すると、レンズ駆動部１５にシャッタ１４と閉じさせ、イメージセンサ１９に画像データを出力させる。なお、イメージセンサ１９が備える電子シャッタ機能を用い、シャッタ１４を開放して、ＬＣＤ２３にイメージセンサ１９から出力される画像データをスルー画像として表示させることができる。イメージセンサ１９が備える電子シャッタ機能を用いると、追って記憶される画像データを得るための露光時間終了時からイメージセンサ１９が画像データの出力が完了するまでの間のみシャッタ１４を閉じるようにすることができる。
【００３４】
信号処理回路２２は、ＳＤＲＡＭ２７に記憶された画像データを読み出し、画像データに対して種々の信号処理を施し、輝度信号と色差信号とで表される表色系のＹＵＶ形式に変換する。信号処理回路２２は、ＹＵＶ形式の画像データをＳＤＲＡＭ２７に記憶する。
【００３５】
制御部１１は、ＳＤＲＡＭ２７に記憶されたＹＵＶ形式の画像データからＲＧＢ信号を生成し、ＬＣＤ２３に出力する。これにより、ＬＣＤ２３にイメージセンサ１９が被写体を撮像して出力する画像が表示される。なお、ＬＣＤ２３に代えて、有機ＥＬ（ＥｌｅｃｔｒｏＬｕｍｉｎｅｓｃｅｎｃｅ）ディスプレイを用いてもよい。
【００３６】
コーデック２１は、制御部１１により制御され、ＳＤＲＡＭ２７に記憶されたＹＵＶ形式の画像データを読出し、画像データを圧縮符号化する。ここでは、コーデック２１は、画像データをＪＰＥＧ方式で圧縮符号化する。
【００３７】
制御部１１は、コーデック２１により圧縮符号化された画像データを、メモリカード２９Ａに記憶する。メモリカード２９Ａは、記憶領域を複数のフォルダに分割することが可能であり、制御部１１は、メモリカード２９Ａが有する複数の記憶領域のうち予め定められた記憶領域に画像データを記憶する。
【００３８】
ジャイロセンサ３３は、デジタルスチルカメラ１の本体が回転する際の角速度を検出する。ここでは、水平方向をＸ軸、垂直方向をＹ軸、レンズの光軸をＺ軸とすると、ジャイロセンサ３３は、Ｙ軸を中心とする回転方向（ヨー方向）の角速度と、Ｘ軸を中心とする回転方向（ピッチ方向）の角速度を検出し、ヨー方向およびピッチ方向それぞれの角速度を制御部１１に出力する。制御部１１においては、ヨー方向の角速度からＸ軸方向の本体の移動量を算出し、ピッチ方向の角速度からＹ軸方向の本体の移動量を算出する。
【００３９】
手振れ補正ユニット１７は、イメージセンサ１９を移動させ、イメージセンサ１９の結像面に結像した光学画像のぶれを最小にする。このため、手振れ補正ユニット１７は、イメージセンサ１９の結像面に平行で互いに交わる２方向にイメージセンサ１９を移動させるために、２方向それぞれに対応する駆動部を含む。ここでは、２方向を、互いに直角に交わる水平方向（Ｘ軸方向）と垂直方向（Ｙ軸方向）としている。イメージセンサ１９の結像面は、レンズ群１３の光軸に垂直な面である。手振れ補正ユニット１７によって、イメージセンサ１９の結像面に平行で互いに交わる２方向にイメージセンサ１９が移動するので、手振れしても同一被写体を露光中、振れなく撮像することができる。
【００４０】
カードＩ／Ｆ２９は、不揮発性メモリを備えたメモリカード２９Ａが装着される。制御部１１は、カードＩ／Ｆ２９を介して、メモリカード２９Ａにアクセス可能であり、ＳＤＲＡＭ２７に記憶された符号化データをメモリカード２９Ａに記憶する。
【００４１】
図２は、第１の実施の形態における制御部が有する機能の一例を示す機能ブロック図である。図５に示す機能は、制御部１１がＥＥＰＲＯＭ２５に記憶された撮影プログラムを実行することにより、制御部１１に実現される。なお、制御部１１に代えて、図２に示した機能を回路で実現するようにしてもよい。
【００４２】
図２を参照して、制御部１１は、動作条件を設定する動作条件設定部５１と、撮影条件を決定する撮影条件決定部５３と、使用者の操作を受け付ける操作受付部５５と、被写体を撮像し、画像データを記憶する撮影制御部５７と、を含む。
【００４３】
動作条件設定部５１は、動作条件を設定する。動作条件設定部５１は、ＬＣＤ２３に動作条件を設定するための設定画面を表示し、使用者が操作部３５に入力する動作条件を設定する操作を受け付ける。動作条件は、撮影制御部５７が被写体を撮影し、画像データを記憶するまでの処理を実行するための条件である。動作条件は、露出を決定する処理を実行するための露出決定条件、手振れ補正処理を実行するための手振れ補正条件、画像データを記憶するための記憶条件と、を含む。動作条件設定部５１は、設定された動作条件を、撮影条件決定部５３および撮影制御部５７に出力する。
【００４４】
記憶条件は、メモリカード２９Ａが備える複数の記憶領域のいずれかの指定を含む。露出決定条件は、予め準備された複数の撮影モードのいずれかの指定を含む。ここでは、撮影モードは、シャッタ速度を優先して絞り量を定めるシャッタ速度優先露出決定モードと、絞り量を優先してシャッタ速度を定める絞り量優先露出決定モードと、を含む。複数のシャッタ速度にそれぞれ対応する複数のシャッタ速度優先露出決定モードを定めることができ、複数の絞り量にそれぞれ対応する複数の絞り量優先露出決定モードを定めることができる。
【００４５】
なお、動作条件は、これらに限定されることなく、被写体を撮影してから画像データを記憶する一連の処理を実行するための少なくとも一部の処理を実行するための条件であればよい。例えば、動作条件は、記憶される画像データの画素数を定める値であてもよいし、画像データを圧縮する圧縮符号化処理に用いられる圧縮率を定める値であってもよい。
【００４６】
また、動作条件設定部５１は、使用者が操作部３５に入力するデフォルトの動作条件を設定する操作を受け付け、デフォルトの動作条件をＳＤＲＡＭ２７に記憶する。
【００４７】
操作受付部５５は、使用者が操作部３５に入力する操作を受け付ける。使用者が操作部３５に入力する操作は、上記動作条件を設定する操作の他、撮影準備を指示する操作と、撮影指示を入力する操作を含む。操作受付部５５は、操作部３５が備えるシャッタボタン３５Ａが半押しされると、撮影準備を指示する操作を受け付ける。操作受付部５５は、シャッタボタン３５Ａが半押しされている間、準備指示を撮影条件決定部５３および撮影制御部５７に出力する。操作受付部５５は、操作部３５が備えるシャッタボタン３５Ａが全押しされると、撮影を指示する操作を受け付ける。操作受付部５５は、シャッタボタン３５Ａが全押しされると、撮影指示を動作条件設定部５１および撮影制御部５７に出力する。
【００４８】
撮影制御部５７は、レンズ駆動部１５、イメージセンサ１９および手振れ補正ユニット１７を制御する。撮影制御部５７は、操作受付部５５から準備指示が入力される間、後述するオートフォーカス部６１からレンズ位置が入力される。撮影制御部５７は、操作受付部５５から準備指示が入力される間、オートフォーカス部６１から入力されるレンズ位置に基づいて、レンズ駆動部１５を制御して、レンズ群１３のフォーカスレンズ１３Ｆの位置を移動させるとともに、イメージセンサ１９に所定時間間隔で画像データを出力させ、イメージセンサ１９から画像データを取得するごとに、画像データを撮影条件決定部５３に出力する。
【００４９】
また、撮影制御部５７は、操作受付部５５から撮影指示が入力されると、後述する自動露出決定部６５から入力されるシャッタ速度と絞り値との組が入力される。撮影制御部５７は、操作受付部５５から撮影指示が入力されると、レンズ駆動部１５を制御して、レンズ群１３の絞り値を設定させ、シャッタ速度により定まる開閉時間だけシャッタ１４を開放させる。その後、イメージセンサ１９から出力される画像データを、メモリカード２９Ａに記憶する。メモリカード２９Ａは、記憶領域が複数のフォルダに分割されているが、撮影制御部５７は、動作条件設定部５１から入力される記憶条件によって定められた記憶領域に画像データを記憶する。
【００５０】
撮影条件決定部５３は、動作条件設定部５１から入力される動作条件に従って、操作受付部５５から準備指示が入力される間、撮影条件を決定する。撮影条件は、レンズ群１３のフォーカスレンズ１３Ｆの位置と、シャッタ速度、および絞り値を含む。撮影条件決定部５３は、オートフォーカス部６１と、自動露出決定部６５と、を含む。オートフォーカス部６１は、動作条件設定部５１から入力される動作条件に従って、操作受付部５５から準備指示が入力される間、撮影制御部５７から入力される画像データに基づいてレンズ群１３のフォーカスレンズ１３Ｆの位置を決定する。
【００５１】
オートフォーカス部６１は、レンズ群１３のフォーカスレンズ１３Ｆの位置ごとに得られる画像データそれぞれのＡＦ評価値を算出し、ＡＦ評価値を山登り法によって解析することにより、被写体に対して合焦するフォーカスレンズ１３Ｆの位置を決定する。具体的には、オートフォーカス部６１は、撮影制御部５７にレンズ群１３のフォーカスレンズ１３Ｆの位置を、それが移動可能な範囲内で移動させる指示を出力し、撮影制御部５７から出力される画像データを取得する。
【００５２】
オートフォーカス部６１は、評価値算出部６３を含む。評価値算出部６３は、レンズ群１３のフォーカスレンズ１３Ｆの位置ごとに得られる画像データに基づいてＡＦ評価値を算出する。ＡＦ評価値は、画像データの先鋭度を示す値であり、例えば画像データの高域成分の値である。評価値算出部６３は、操作受付部５５から準備指示が入力される間に、撮影制御部５７から入力される画像データに基づいてＡＦ評価値を算出する。評価値算出部６３は、画像データ中の予め定められた領域に含まれる画素の値からＡＦ評価値を算出する。例えば、ＡＦ評価値は、隣接する画素の画素値の差分を用いることができる。先鋭度を算出するフィルターを用いて、ＡＦ評価値を算出するようにしてもよい。また、評価値算出部６３は、画像データ中の複数の領域各々で先鋭度を算出し、算出された複数の先鋭度を重み付け平均した値をＡＦ評価値としてもよい。評価値算出部６３は、算出されたＡＦ評価値を、動作条件設定部５１に出力する。
【００５３】
オートフォーカス部６１は、評価値算出部６３により算出されるＡＦ評価値が、しきい値以上の極値となるとき、被写体に対して合焦させることが可能であると判断し、その時のフォーカスレンズ１３Ｆの位置を合焦位置として決定する。オートフォーカス部６１は、操作受付部５５から準備指示が入力される間に、合焦位置を決定しない場合、レンズ群１３のフォーカスレンズ１３Ｆの位置として予め定められた位置を、撮影制御部５７に出力する。
【００５４】
自動露出決定部６５は、動作条件設定部５１から入力される動作条件に従って、撮影制御部５７から入力される画像データに基づいて露出を決定する。自動露出決定部６５は、露出を決定する場合、決定したシャッタ速度と絞り量との組を、操作受付部５５から撮影指示が入力されると、撮影制御部５７に出力する。自動露出決定部６５は、操作受付部５５から準備指示が入力される間に露出を決定できない場合、操作受付部５５から撮影指示が入力されると、予め定められたシャッタ速度と絞り量との組を撮影制御部５７に出力する。
【００５５】
自動露出決定部６５は、ＡＥ評価値に対して、シャッタ速度と絞り量との関係を定めたテーブルを準備しておき、画像データ中の予め定められたＡＥ評価値を算出し、算出されたＡＥ評価値に対応するシャッタ速度と絞り量との組を決定する。ＡＥ評価値は、画像データの明るさを示す尺度であり、例えば、画像データ中の複数の領域の輝度値を重み付け平均した値をＡＥ評価値とすることができる。自動露出決定部６５は、算出されたＡＥ評価値を、動作条件設定部５１に出力する。
【００５６】
シャッタ速度と絞り量との関係を定めたテーブルは、１つのＡＥ評価値に対して、シャッタ速度と絞り量との組を複数定める。複数の組のうちからいずれを選択するかは、動作条件に含まれる撮影モードによって定まる。ここでは、撮影モードは、シャッタ速度を優先して絞り量を定めるシャッタ速度優先露出決定モードと、絞り量を優先してシャッタ速度を定める絞り量優先露出決定モードとを含む。
【００５７】
動作条件設定部５１は、変更部６７を含む。変更部６７は、オートフォーカス部６１からＡＦ評価値が入力され、自動露出決定部６５からＡＥ評価値が入力される。変更部６７は、操作受付部５５から撮影指示が入力される時点で、撮影条件決定部５３により所定の撮影条件が決定されると、その時点で設定されている動作条件を変更する。
【００５８】
変更部６７は、オートフォーカス部６１から入力されるＡＦ評価値のうちにしきい値ＴＡ１を超える極値となるＡＦ評価値が存在しない場合、または、自動露出決定部６５から入力されるＡＥ評価値が、しきい値ＴＢ１以下またはしきい値ＴＢ２以上の場合、撮影条件決定部５３により所定の撮影条件が決定されると判断する。ただし、ＴＢ２は、ＴＢ１よりもＡＥ評価値が明るいことを示す。
【００５９】
変更部６７は、操作受付部５５から準備指示が入力される間にオートフォーカス部６１から入力されるＡＦ評価値のうちにしきい値ＴＡ１を超える極値となるＡＦ評価値が存在しないと、操作受付部５５から撮影指示が入力される時点で判断する場合、その時点で設定されている動作条件を変更する。オートフォーカス部６１から入力されるＡＦ評価値のうちに極値となるＡＦ評価値が存在しない場合は、イメージセンサ１９から出力される画像データがコントラストの少ない画像であり、例えば、白い壁など均一な色の被写体を撮影した場合である。また、オートフォーカス部６１から入力されるＡＦ評価値のうちに極値となるＡＦ評価値が存在するが、極値となるＡＦ評価値がしきい値ＴＡ１以下の場合は、レンズ群１３が焦点を合わせることのできる距離の範囲外に、被写体が存在する場合である。例えば、レンズ群１３の近くに手を置いて撮影した場合である。
【００６０】
また、変更部６７は、操作受付部５５から準備指示が入力される間に自動露出決定部６５から入力されるＡＥ評価値が、操作受付部５５から撮影指示が入力される時点でしきい値ＴＢ１以下の場合、その時点で設定されている動作条件を変更する。自動露出決定部６５から入力されるＡＥ評価値しきい値ＴＢ１以下の場合は、イメージセンサ１９から出力される画像データが暗い画像である。例えば、レンズ群１３を手で覆って撮影した場合である。
【００６１】
さらに、変更部６７は、操作受付部５５から準備指示が入力される間に自動露出決定部６５から入力されるＡＥ評価値が、操作受付部５５から撮影指示が入力される時点でしきい値ＴＢ２以上の場合、その時点で設定されている動作条件を変更する。自動露出決定部６５から入力されるＡＥ評価値しきい値ＴＢ２以上の場合は、イメージセンサ１９から出力される画像データが明るい画像である。例えば、太陽を被写体にして撮影した場合である。
【００６２】
変更部６７は、動作条件のうち記憶条件を変更する場合、メモリカード２９Ａに新たな記憶領域を設定し、記憶条件を、新たに設定された記憶領域の指定に変更する。また、変更部６７は、動作条件のうち露出決定条件および手振れ補正条を変更する場合、ＳＤＲＡＭ２７に記憶されたデフォルトの露出決定条件および手振れ補正条件に変更する。
【００６３】
図３は、第１の実施の形態における撮影処理の流れの一例を示すフローチャートである。第１の実施の形態における撮影処理は、デジタルスチルカメラ１が備える制御部１１が、ＥＥＰＲＯＭ２５に記憶された撮影プログラムを実行することにより、制御部１１により実行される処理である。図３を参照して、制御部１１は、撮影準備指示を受け付けたか否かを判断する（ステップＳ０１）。撮影準備指示を受け付けたならば処理をステップＳ０２に進めるが、そうでなければ処理をステップＳ１５に進める。使用者が操作部３５が備えるシャッタボタン３５Ａを半押しすると、撮影準備指示を受け付ける。ステップＳ０１においては、使用者がシャッタボタン３５Ａを半押ししている間、撮影準備指示を受け付け、処理をステップＳ０２に進める。
【００６４】
ステップＳ０２においては、ＡＦ評価値を算出する。レンズ群１３のフォーカスレンズ１３Ｆを移動させ、フォーカスレンズ１３Ｆの位置ごとのＡＦ評価値を算出する。そして、極値となるＡＦ評価値が存在するか否かを判断する（ステップＳ０３）。極値となるＡＦ評価値が存在しないならば処理をステップＳ０８に進めるが、存在すれば処理をステップＳ０４に進める。極値となるＡＦ評価値が存在しない場合は、被写体に対して合焦するフォーカスレンズ１３Ｆの位置を決定することができない距離に存在する対象物を被写体として撮影した場合、若しくはＡＦ評価を用いてフォーカスレンズ１３Ｆの位置を決定することができない場合と判断できる。
【００６５】
ステップＳ０４においては、極値となるＡＦ評価値がしきい値ＴＡ１以下か否かを判断する。極値となるＡＦ評価値がしきい値ＴＡ１以下ならば処理をステップＳ０８に進め、そうでなければ処理をステップＳ０５に進める。極値となるＡＦ評価値がしきい値ＴＡ１以下の場合、画像データがコントラストが小さく、均一な色の対象物を被写体として撮影した場合と判断できる。
【００６６】
ステップＳ０５においては、ＡＥ評価値を算出する。そして、ＡＥ評価値がしきい値ＴＢ１以下か否かを判断する（ステップＳ０６）。ＡＥ評価値がしきい値ＴＢ１以下ならば処理をステップＳ０８に進め、そうでなければ処理をステップＳ０７に進める。ＡＥ評価値がしきい値ＴＢ１以下の場合、暗い対象物を被写体として撮影した場合と判断できる。
【００６７】
ステップＳ０７においては、ＡＥ評価値がしきい値ＴＢ２以上か否かを判断する。ＡＥ評価値がしきい値ＴＢ２以上ならば処理をステップＳ０８に進め、そうでなければ処理をステップＳ０９に進める。ＡＥ評価値がしきい値ＴＢ２以上の場合、明るい対象物を被写体として撮影した場合と判断できる。
【００６８】
ステップＳ０８においてはフラグを「１」に設定し、処理をステップＳ１０に進める。一方、ステップＳ０９においては、フラグを「０」に設定し、処理をステップＳ１０に進める。フラグは、動作条件を変更するか否かを示す値であり、動作条件を変更する場合に「１」に設定され、変更しない場合に「０」に設定される。
【００６９】
ステップＳ１０においては、撮影指示を受け付けたか否かを判断する。撮影指示を受け付けたならば処理をステップＳ１１に進めるが、そうでなければ処理をステップＳ０１に戻す。使用者が操作部３５が備えるシャッタボタン３５Ａを全押しすると、撮影指示を受け付ける。
【００７０】
ステップＳ１１においては、フラグが「１」に設定されているか否かを判断する。フラグが「１」に設定されているならば処理をステップＳ１２に進め、そうでなければ処理をステップＳ１３に進める。ステップＳ１２においては動作条件変更処理を実行し、処理をステップＳ１５に進める。動作条件変更処理の詳細は、後述する。
【００７１】
ステップＳ１３においては、撮影し、処理をステップＳ１４に進める。具体的には、イメージセンサ１９を露光し、イメージセンサが出力する画像データを取得する。ステップＳ１４においては、取得された画像データをメモリカード２９Ａの動作条件により定まる記憶領域に記憶し、処理をステップＳ１５に進める。
【００７２】
ステップＳ１５においては、メイン電源がＯＦＦに切り換えられたか否かを判断する。メイン電源がＯＦＦに切り換えられたならば処理を終了するが、そうでなければ処理をステップＳ０１に戻す。
【００７３】
図４は、動作条件変更処理の流れの一例を示す第１のフローチャートである。動作条件変更処理は、図３のステップＳ１２において実行される処理である。図４を参照して、制御部１１は、ＳＤＲＡＭ２７に記憶された動作条件の内、露出決定条件および手振れ補正条件を変更する（ステップＳ２１）。次ぎに、メモリカード２９Ａに新たなフォルダを作成する（ステップＳ２２）。さらに、記憶先を、ステップＳ２２で作成された新たなフォルダに設定し、処理を撮影処理に戻す。
【００７４】
＜変形例＞
上述したデジタルスチルカメラ１においては、変更部６７は、動作条件の記憶条件を変更する場合、メモリカード２９Ａに新たなフォルダを設定し、画像データの記憶先を新たなフォルダに設定するようにした。変形例におけるデジタルスチルカメラ１においては、変更部６７が、記憶条件を変更することなく、メモリカード２９Ａに、動作条件が変更されたことを示す画像データを記憶する。
【００７５】
撮影制御部５７は、撮影によりイメージセンサ１９から出力される画像データに、日時情報を付加して、メモリカード２９Ａに記憶する。撮影制御部５７は、変更部６７は、操作受付部５５から撮影指示が入力される時点で、撮影条件決定部５３により所定の撮影条件が決定されると判断する場合、撮影制御部５７に、撮影された画像データをメモリカード２９Ａに記憶させないようにして、日時情報を付加した変更通知画像データをメモリカード２９Ａの記憶条件で指定された記憶領域に記憶する。このため、撮影条件決定部５３により所定の撮影条件が決定される場合、換言すれば、コントラストの少ない画像を撮影した場合、手をレンズ群１３に近づけて撮影した場合、レンズ群１３を手で覆って撮影した場合、太陽を被写体にして撮影した場合に、変更通知画像データがメモリカード２９Ａに記憶される。変更通知画像データは、ＥＥＰＲＯＭ２５に予め記憶された画像データである。例えば「動作モードが変更されました」のメッセージを含んでもよい。
【００７６】
このため、メモリカード２９Ａに記憶される複数の画像データを日時順に配列すれば、変更通知画像データがメモリカード２９Ａに記憶される前に撮影された画像データと、変更通知画像データがメモリカード２９Ａに記憶される前に撮影された画像データとに、変更通知画像データで分割することができる。
【００７７】
図５は、動作条件変更処理の流れの一例を示す第２のフローチャートである。変形例における動作条件変更処理は、図３のステップＳ１２において実行される処理である。図５を参照して、制御部１１は、ＳＤＲＡＭ２７に記憶された動作条件の内、露出決定条件および手振れ補正条件を変更する（ステップＳ２１）。次に、メモリカード２９Ａに変更通知画像データを記憶し（ステップＳ２２Ａ）、処理を撮影処理に戻す。
【００７８】
＜第２の実施の形態＞
上述した第１の実施の形態においては、特定の撮影条件を、ＡＦ評価値およびＡＥ評価値を用いて検出するようにした。第２の実施の形態におけるデジタルスチルカメラ１は、被写体までの距離を計測する測距センサと、レンズ群１３を透過する光の量を計測する光量センサと、を設けるようにし、被写体までの距離およびレンズ群１３を透過する光量に基づいて、所定の撮影条件を判断するようにしたものである。
【００７９】
以下、第２の実施の形態におけるデジタルスチルカメラ１について、第１の実施の形態におけるデジタルスチルカメラ１と異なる点を主に説明する。第２の実施の形態におけるデジタルスチルカメラ１は、レンズ群１３のフォーカスレンズ１３Ｆの位置を、測距センサで計測した被写体までの距離から決定し、露出を、光量センサで計測した光量から決定する。  図６は、第２の実施の形態における撮影処理の流れの一例を示すフローチャートである。図６を参照して、制御部１１は、撮影準備指示を受け付けたか否かを判断する（ステップＳ０１）。撮影準備指示を受け付けたならば処理をステップＳ３１に進めるが、そうでなければ処理をステップＳ１５に進める。使用者が操作部３５が備えるシャッタボタン３５Ａを半押しすると、撮影準備指示を受け付ける。ステップＳ０１においては、使用者がシャッタボタン３５Ａを半押ししている間、撮影準備指示を受け付け、処理をステップＳ３１に進める。
【００８０】
ステップＳ３１においては、測距センサで被写体までの距離Ｌを計測する。次のステップＳ３２においては、光量センサでレンズ群１３を透過する光量を計測する。次のステップＳ３３においては、ステップＳ３１において計測された距離Ｌだけ離れた被写体に合焦するフォーカスレンズＦの位置を決定することが可能か否かを判断する。距離Ｌだけ離れた被写体に合焦するフォーカスレンズＦの位置を決定することが不可能ならば処理をステップＳ０８に進めるが、被写体に合焦するフォーカスレンズＦの位置を決定することが可能ならば処理をステップＳ３４に進める。
【００８１】
ステップＳ３４においては、ステップＳ３２において計測された光量が、しきい値ＴＣ１以下か否かを判断する。光量がしきい値ＴＣ１以下ならば処理をステップＳ０８に進めるが、そうでなければ処理をステップＳ３５に進める。ステップＳ３５においては、ステップＳ３２において計測された光量が、しきい値ＴＣ２以上か否かを判断する。計測された光量が、しきい値ＴＣ２以上ならば処理をステップＳ０８に進めるが、そうでなければ処理をステップＳ０９に進める。
【００８２】
ステップＳ０８〜ステップＳ１５の処理は、図６に示した処理と同じである。したがって、ここでは説明を繰り返さない。
【００８３】
＜第３の実施の形態＞
上述した第１の実施の形態においては、所定の撮影条件を、ＡＦ評価値およびＡＥ評価値を用いて検出するようにした。第３の実施の形態におけるデジタルスチルカメラ１は、所定の撮影条件を、撮影してイメージセンサ１９が出力する画像データに基づいて検出するようにしたものである。
【００８４】
以下、第３の実施の形態におけるデジタルスチルカメラ１について、第１の実施の形態におけるデジタルスチルカメラ１と異なる点を主に説明する。図７は、第３の実施の形態における制御部１１が有する機能の一例を示す機能ブロック図である。図７に示す機能は、制御部１１がＥＥＰＲＯＭ２５に記憶された撮影プログラムを実行することにより、制御部１１に実現される。なお、制御部１１に代えて、図７に示した機能を回路で実現するようにしてもよい。
【００８５】
図７を参照して、図２に示した制御部１１の機能と異なる点は、撮影制御部５７および動作条件設定部５１が、撮影制御部５７Ａおよび動作条件設定部５１Ａにそれぞれ変更された点である。その他の機能は、図７に示した機能と同じなのでここでは説明を繰り返さない。撮影制御部５７Ａは、操作受付部５５から準備指示が入力される間の動作は、第１の実施の形態における撮影制御部５７と同じである。撮影制御部５７Ａは、操作受付部５５から撮影指示が入力されると、自動露出決定部６５から入力されるシャッタ速度と絞り値との組が入力される。撮影制御部５７Ａは、操作受付部５５から撮影指示が入力されると、レンズ駆動部１５を制御して、レンズ群１３の絞り値を設定させ、シャッタ速度により定まる開閉時間だけシャッタ１４を開放させる。その後、イメージセンサ１９から出力される画像データを、メモリカード２９Ａに記憶するとともに、動作条件設定部５１Ａに出力する。メモリカード２９Ａは、記憶領域が複数のフォルダに分割されているが、撮影制御部５７Ａは、動作条件設定部５１Ａから入力される記憶条件によって定められた記憶領域に画像データを記憶する。
【００８６】
動作条件設定部５１Ａは、画像解析部６９および変更部６７を含む。動作条件設定部５１Ａは、第１の実施の形態における動作条件設定部５１と同様に、使用者が操作部３５に入力する動作条件を設定する操作を受け付け、設定するとともに、使用者が操作部３５に入力するデフォルトの動作条件を設定する操作を受け付け、デフォルトの動作条件をＳＤＲＡＭ２７に記憶する。
【００８７】
画像解析部６９は、操作受付部５５から撮影指示が入力される時点で、撮影制御部５７Ａから入力される画像データを解析し、所定の撮影条件で撮影されたか否かを判断する。画像解析部６９は、作受付部５５から撮影指示が入力される時点で、撮影制御部５７Ａから入力される画像データが、コントラストの少ない画像である場合、暗い画像である場合、明るい画像である場合、予め定められた画像を含む場合に、所定の撮影条件で撮影されたと判断する。
【００８８】
具体的には、画像解析部６９は、画像データがコントラストの少ない画像か否かを、画像データの先鋭度を算出することにより判断する。画像データを隣接する画素の画素値の差分をとった微分画像データを生成し、微分画像データ中に所定のしきい値以上の値の画素数を評価値とする。そして、評価値が所定数以下ならばコントラストの少ない画像と判断する。また、画像データを先鋭度を算出するフィルターを用いて、微分画像データを生成するようにしてもよい。画像解析部６９が、コントラストの少ない画像を判断する画像データは、白色の壁など均一な色の対象物を被写体とする撮影条件である。
【００８９】
また、画像解析部６９は、画像データが明るい画像であるか否かを、画像データの輝度値（明度）の最大値をしきい値ＴＤ１と比較することにより判断する。画像データの輝度値（明度）の最大値がしきい値ＴＤ１以下の場合に、所定の撮影条件で撮影されたと判断する。画像データの輝度値（明度）の最大値がしきい値ＴＤ１以下の場合は、レンズ群１３を手で覆って撮影した場合など、暗い対象物を被写体とする撮影条件である。
【００９０】
また、画像解析部６９は、画像データが暗い画像であるか否かを、画像データの輝度値（明度）の最小値をしきい値ＴＤ２と比較することにより判断する。画像データの輝度値（明度）の最小値がしきい値ＴＤ２以上の場合に、所定の撮影条件で撮影されたと判断する。画像データの輝度値（明度）の最小値がしきい値ＴＤ２以上の場合は、太陽など明るい対象物を被写体とする撮影条件である。しきい値ＴＤ２は、しきい値ＴＤ１よりも大きい。ここでは、輝度値が大きいほど、明るいことを示す。
【００９１】
画像解析部６９は、画像データが予め定められた画像を含むか否かを、画像データを、予め定められたパターン画像を用いてパターンマッチングすることにより判断する。画像データ中にパターン画像と形状が類似する部分が存在すれば、所定の撮影条件で撮影されたと判断する。パターン画像は、例えば、人の手の形状の画像とすることができる。例えば、５本指を立てた手の形状の画像をパターン画像することができる。また、指を立てる本数を予め定めた手の形状の画像をパターン画像とすることができる。画像データが予め定められた画像を含む場合、５本指を立てた手を被写体とする撮影条件である。なお、パターン画像は、手の形状に限らず、使用者が携帯する物の形状であればよい。また、デジタルスチルカメラ１で予め撮影した画像をパターン画像として登録しておくようにもよい。
【００９２】
画像解析部６９は、所定の撮影条件で撮影されたと判断する場合、変更部６７Ａに変更指示を出力する。変更部６７Ａは、画像解析部６９から変更指示が入力されると、その時点で設定されている動作条件を変更する。変更部６７Ａは、動作条件のうち記憶条件を変更する場合、メモリカード２９Ａに新たな記憶領域を設定し、記憶条件を、新たに設定された記憶領域の指定に変更する。また、変更部６７Ａは、ＳＤＲＡＭ２７に記憶された動作条件の内、露出決定条件および手振れ補正条件を変更する。
【００９３】
図８は、第３の実施の形態における撮影処理の流れの一例を示すフローチャートである。図８を参照して、制御部１１は、撮影準備指示を受け付けたか否かを判断する（ステップＳ５１）。撮影準備指示を受け付けたならば処理をステップＳ５２に進めるが、そうでなければ処理をステップＳ６６に進める。使用者が操作部３５が備えるシャッタボタン３５Ａを半押しすると、撮影準備指示を受け付ける。ステップＳ５１においては、使用者がシャッタボタン３５Ａを半押ししている間、撮影準備指示を受け付け、処理をステップＳ５２に進める。
【００９４】
ステップＳ５２においては、オートフォーカス処理を実行し、レンズ群１３のフォーカスレンズ１３Ｆの位置を決定する。次のステップＳ５３においては、自動露出決定処理を実行し、レンズ群１３の絞り量と、シャッタ１４の開放時間を定めるシャッタ速度とを決定する。
【００９５】
ステップＳ５４においては、撮影指示を受け付けたか否かを判断する。撮影指示を受け付けたならば処理をステップＳ５５に進めるが、そうでなければ処理をステップＳ５１に戻す。使用者が操作部３５が備えるシャッタボタン３５Ａを全押しすると、撮影指示を受け付ける。
【００９６】
ステップＳ５５においては、撮影し、画像データを取得する。そして、取得された画像データがコントラストの少ない画像か否かを判断する（ステップＳ５６）。コントラストの少ない画像ならば処理をステップＳ６０に進めるが、そうでなければ処理をステップＳ５７に進める。ステップＳ５７においては、ステップＳ５５において取得された画像データの輝度の最大値が、しきい値ＴＤ１以下か否かを判断する。画像データの輝度の最大値がしきい値ＴＤ１以下ならば処理をステップＳ６０に進めるが、そうでなければ処理をステップＳ５８に進める。ステップＳ５８においては、ステップＳ５５において取得された画像データの輝度の最小値が、しきい値ＴＤ２以上か否かを判断する。画像データの輝度の最大値がしきい値ＴＤ２以上ならば処理をステップＳ６０に進めるが、そうでなければ処理をステップＳ６９に進める。
【００９７】
ステップＳ５９においては、ステップＳ５５において取得された画像データがパターン画像を含むか否かを判断する。画像データをパターン画像を用いてパターンマッチングし、パターン画像に類似する画像が画像データから抽出されたならば画像データがパターン画像を含むと判断する。画像データがパターン画像を含むならば処理をステップＳ６０に進めるが、そうでなければ処理をステップＳ６１に進める。
【００９８】
ステップＳ６０においてはフラグを「１」に設定し、処理をステップＳ６２に進める。一方、ステップＳ６１においては、フラグを「０」に設定し、処理をステップＳ６２に進める。フラグは、動作条件を変更するか否かを示す値であり、動作条件を変更する場合に「１」に設定され、変更しない場合に「０」に設定される。
【００９９】
ステップＳ６２〜ステップＳ６６の処理は、図３に示したステップＳ１１〜ステップＳ１５の処理とそれぞれ同じである。したがって、ここでは説明を繰り返さない。
【０１００】
なお、本実施の形態においては、動作条件をＳＤＲＡＭ２７に記憶するようにしたが、不揮発性メモリを別途設けるようにし、動作条件を不揮発性メモリに記憶するようにしてもよい。この場合、電源をＯＦＦにしても、デフォルトの動作条件や、変更後の動作条件を保持することができる。
【０１０１】
また、所定の撮影条件を満たすか否かを、図３に示した撮影処理ではステップＳ０３、Ｓ０４、Ｓ０６、Ｓ０７において、図６に示した撮影処理ではステップＳ３３、Ｓ３４、Ｓ３５において、図８に示した撮影処理ではステップＳ５６、Ｓ５７、Ｓ５９において、それぞれ判断するようにした。所定の撮影条件を満たすか否かを判断するステップの順番を限定するものではない。また、所定の撮影条件を満たすか否かを判断するステップは、少なくとも１つあればよい。
【０１０２】
なお、上述した実施の形態においては撮影装置の一例としてデジタルスチルカメラ１を説明したが、図３〜図５、図６、または図８に示した撮影処理を実行するための撮像方法およびその撮像方法をコンピュータに実行させるための撮像プログラムとして発明を捉えることができるのはいうまでもない。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０４】
＜付記＞
（１）  前記設定された撮影モードに従って露出を決定する露出決定手段をさらに備え、
前記露出決定手段は、前記イメージセンサから出力される画像データの少なくとも一部から第２の評価値を算出する第２評価値算出手段を含み、前記評価値算出手段により算出される第２の評価値に基づいて、露出を決定し、
前記変更手段は、さらに、前記第２の評価値に基づいて、前記所定の撮影条件か否かを判断する、請求項３〜５のいずれかに記載の撮影装置。
（２）  前記変更手段は、前記第２の評価値が所定の値以下の場合に、前記所定の撮影条件と判断する、（１）に記載の撮影装置。
（３）  前記変更手段は、前記第２の評価値が所定の値以上の場合に、前記所定の撮影条件と判断する、（１）に記載の撮影装置。
（４）  被写体までの距離を計測する測距手段をさらに備え、
前記変更手段は、前記計測された距離が所定の値以下の場合に、前記所定の撮影条件と判断する、請求項２に記載の撮影装置。
（５）  前記変更手段は、前記第２の評価値が所定の値以下の場合に、前記所定の撮影条件と判断する、請求項６に記載の撮影装置。
（６）  前記変更手段は、前記第２の評価値が所定の値以上の場合に、前記所定の撮影条件と判断する、請求項６に記載の撮影装置。
（７）  レンズと、
前記レンズを透過する光の量を検出する光量検出手段と、
前記設定された撮影モードに従って、前記検出された光の量に基づいて露出を決定する露出決定手段と、をさらに備え、
前記変更手段は、前記検出された光量に基づいて、前記所定の撮影条件か否かを判断する、請求項１に記載の撮影装置。
（８）  前記変更手段は、前記検出された光量が所定の値以下の場合に、前記所定の撮影条件と判断する、請求項（７）に記載の撮影装置。
（９）  前記変更手段は、前記検出された光量が所定の値以上の場合に、前記所定の撮影条件と判断する、請求項（７）に記載の撮影装置。
（１０）  前記動作条件設定手段は、前記イメージセンサから出力される画像データの明度の範囲が第１のしきい値以下の場合に、前記所定の撮影条件と判断する、請求項８に記載の撮影装置。
（１１）  前記動作条件設定手段は、前記イメージセンサから出力される画像データの明度の最大値が第２のしきい値以下の場合に、前記所定の撮影条件と判断する、請求項８または（１０）に記載の撮影装置。
（１２）  前記動作条件設定手段は、前記イメージセンサから出力される画像データの明度の最小値が第３のしきい値以上の場合に、前記所定の撮影条件と判断する、請求項８、（１０）または（１１）のいずれかに記載の撮影装置。
（１３）  前記動作条件設定手段は、前記イメージセンサから出力される画像データが所定の形状の画像を含む場合に、前記所定の撮影条件と判断する、請求項８、（１０）〜（１２）のいずれかに記載の撮影装置。
【符号の説明】
【０１０５】
１  デジタルスチルカメラ、１１  制御部、１３  レンズ群、１３Ｆ  フォーカスレンズ、１３Ｚ  ズームレンズ、１４  シャッタ、１５  レンズ駆動部、１７  手振れ補正ユニット、１９  イメージセンサ、２１  コーデック、２２  信号処理回路、２３  ＬＣＤ、２５  ＥＥＰＲＯＭ、２７  ＳＤＲＡＭ、２９  カードＩ／Ｆ、２９Ａ  メモリカード、３３  ジャイロセンサ、３５  操作部、３５Ａ  シャッタボタン、４１  バッテリ、５１，５１Ａ  動作条件設定部、５３  撮影条件決定部、５５  操作受付部、５７，５７Ａ  撮影制御部、６１  オートフォーカス部、６３  評価値算出部、６５  自動露出決定部、６７，６７Ａ  変更部、６９  画像解析部。
【図１】
2012216948.tif 000003
【図２】
2012216948.tif 000004
【図３】
2012216948.tif 000005
【図４】
2012216948.tif 000006
【図５】
2012216948.tif 000007
【図６】
2012216948.tif 000008
【図７】
2012216948.tif 000009
【図８】
2012216948.tif 000010